(57)【要約】【課題】ＣＤＭＡ方式を適用した移動通信システムの移動局で順方向リンク及び逆方向リンクの電波環境を考慮して逆方向閉鎖ループ電力制御を能動的に遂行できるようにした逆方向閉鎖ループ電力制御装置を提供する。【解決手段】基地局から伝送される通話フレームを受信して、この受信された通話フレームを復調して送信電力増加または減少命令情報が割り当てられたＰＣＢを抽出する復調及びＰＣＢ抽出部と、前記基地局から伝送される通話フレームに対するＣＲＣを検査するＣＲＣ検査部と、前記復調及びＰＣＢ抽出部で抽出されたＰＣＢと前記ＣＲＣ検査部で検査されたＣＲＣ結果値とによって送信電力増加または減少制御信号を出力する制御部と、前記制御部から出力される送信電力増加または減少制御信号によって送信電力の最大値まで移動局の送信電力を増加させたりまたは送信電力の最小値まで移動局の送信電力を減少させる電力調整部とで構成される。【選択図】図２
2011035920.tif 000002
【特許請求の範囲】
【請求項１】
基地局から伝送される通話フレームを受信して、この受信された通話フレームを復調して送信電力増加または減少命令情報が割り当てられたＰＣＢを抽出する復調及びＰＣＢ抽出部と、
前記基地局から伝送される通話フレームに対するＣＲＣを検査するＣＲＣ検査部と、
前記復調及びＰＣＢ抽出部で抽出されたＰＣＢと前記ＣＲＣ検査部で検査されたＣＲＣ結果値とによって送信電力増加または減少制御信号を出力する制御部と、
前記制御部から出力される送信電力増加または減少制御信号によって送信電力の最大値まで移動局の送信電力を増加させたりまたは送信電力の最小値まで移動局の送信電力を減少させる電力調整部で構成されることを特徴とする移動通信システムの逆方向閉鎖ループ電力制御装置。
【請求項２】
前記制御部が、
前記復調及びＰＣＢ抽出部で抽出されたＰＣＢの値が送信電力増加命令情報であり前記ＣＲＣ検査部で検査されたＣＲＣ結果値が良い場合には、送信電力を既設定されたＵＰ値ほどずつ既設定された送信電力の最大値まで増加させるための制御信号を、
前記復調及びＰＣＢ抽出部で抽出されたＰＣＢの値が送信電力増加命令情報であり前記ＣＲＣ検査部で検査されたＣＲＣ結果値が悪い場合には、送信電力を既設定されたＢＩＧ−ＵＰ値ほどずつ既設定された送信電力の最大値まで増加させるための制御信号を、
前記復調及びＰＣＢ抽出部で抽出されたＰＣＢの値が送信電力減少命令情報であり前記ＣＲＣ検査部で検査されたＣＲＣ結果値が良い場合には、送信電力を既設定されたＢＩＧ−ＤＯＷＮ値ほどずつ既設定された送信電力の最小値まで減少させるための制御信号を、
前記復調及びＰＣＢ抽出部で抽出されたＰＣＢの値が送信電力減少命令情報であり前記ＣＲＣ検査部で検査されたＣＲＣ結果値が悪い場合には、送信電力を既設定されたＤＯＷＮ値ほどずつ既設定された送信電力の最小値まで減少させるための制御信号を各々前記電力調整部に出力することを特徴とする請求項１に記載の移動通信システムの逆方向閉鎖ループ電力制御装置。
【請求項３】
前記送信電力増加命令情報が‘０’で、送信電力減少命令情報が‘１’であることを特徴とする請求項１または２に記載の移動通信システムの逆方向閉鎖ループ電力制御装置。
【請求項４】
前記ＣＲＣ検査部で検査された結果で良い場合のＣＲＣ結果値は‘１’で、悪い場合のＣＲＣ結果値は‘０’であることを特徴とする請求項１または２に記載の移動通信システムの逆方向閉鎖ループ電力制御装置。
【請求項５】
前記ＢＩＧ−ＵＰ値がＵＰ値より大きくて、ＢＩＧ−ＤＯＷＮ値がＤＯＷＮ値より大きい値であることを特徴とする請求項２に記載の移動通信システムの逆方向閉鎖ループ電力制御装置。
【請求項６】
基地局の送信電力増加または減少命令によって移動局の送信電力を制御するＣＤＭＡ移動通信システム内移動局の逆方向閉鎖ループ電力制御方法において、
移動局が基地局から伝送される送信電力増加または減少命令情報が割り当てられたＰＣＢを含んだ通話フレームを受信する通話フレーム受信段階と、
前記通話フレーム受信段階で受信された通話フレームを復調してＰＣＢを抽出するＰＣＢ抽出段階と、
前記ＰＣＢ抽出段階遂行後、前記通話フレーム受信段階で受信された通話フレームに対してＣＲＣを検査するＣＲＣ検査段階と、
前記ＰＣＢ抽出段階で抽出されたＰＣＢの値と前記ＣＲＣ検査段階で検査されたＣＲＣ結果値とによって移動局の送信電力を既設定された値ほどずつ増加または減少させる送信電力制御段階で構成されることを特徴とする移動通信システムの逆方向閉鎖ループ電力制御方法。
【請求項７】
前記送信電力制御段階が、
前記ＰＣＢ抽出段階で抽出されたＰＣＢの値が送信電力増加命令情報であり前記ＣＲＣ検査段階で検査されたＣＲＣ結果値が良い場合、送信電力を既設定されたＵＰ値ほどずつ増加させるＵＰ値単位の送信電力増加段階と、
前記ＰＣＢ抽出段階で抽出されたＰＣＢの値が送信電力増加命令情報であり前記ＣＲＣ検査段階で検査されたＣＲＣ結果値が悪い場合、送信電力を既設定されたＢＩＧ−ＵＰ値ほどずつ増加させるＢＩＧ−ＵＰ値単位の送信電力増加段階と、
前記ＰＣＢ抽出段階で抽出されたＰＣＢの値が送信電力減少命令情報であり前記ＣＲＣ検査段階で検査されたＣＲＣ結果値が良い場合、送信電力を既設定されたＢＩＧ−ＤＯＷＮ値ほどずつ減少させるＢＩＧ−ＤＯＷＮ値単位の送信電力減少段階と、
前記ＰＣＢ抽出段階で抽出されたＰＣＢの値が送信電力減少命令情報であり前記ＣＲＣ検査段階で検査されたＣＲＣ結果値が悪い場合、送信電力を既設定されたＤＯＷＮ値ほどずつ減少させるＤＯＷＮ値単位の送信電力減少段階で構成されることを特徴とする請求項６に記載の移動通信システムの逆方向閉鎖ループ電力制御方法。
【請求項８】
前記ＵＰ値またはＢＩＧ−ＵＰ値単位の送信電力増加段階で増加された移動局の送信電力が既設定された送信電力の最大値に到達されたのかを判断する送信電力の最大値比較段階と、
前記送信電力の最大値比較段階の比較結果、前記ＵＰ値またはＢＩＧ−ＵＰ値単位の送信電力増加段階で増加された移動局の送信電力が既設定された送信電力の最大値に到達されていると、現在の移動局送信電力を一定に維持させる現在送信電力維持段階と、
前記ＵＰ値またはＢＩＧ−ＵＰ値単位の送信電力増加段階で増加された移動局の送信電力が既設定された送信電力の最大値に到達されていないと、移動局の送信電力を既設定された送信電力の最大値に到達される時までＵＰ値またはＢＩＧ−ＵＰ値ほどずつ増加させる送信電力増加段階をさらに含むことを特徴とする請求項７に記載の移動通信システムの逆方向閉鎖ループ電力制御方法。
【請求項９】
前記ＢＩＧ−ＤＯＷＮ値またはＤＯＷＮ値単位の送信電力減少段階で減少された移動局の送信電力が既設定された送信電力の最小値に到達されたのかを判断する送信電力の最小値比較段階と、
前記送信電力の最小値比較段階の比較結果、前記ＢＩＧ−ＤＯＷＮ値またはＤＯＷＮ値単位の送信電力減少段階で減少された移動局の送信電力が既設定された送信電力の最小値に到達されていると、現在の移動局送信電力を一定に維持させる現在送信電力維持段階と、
前記ＢＩＧ−ＤＯＷＮ値またはＤＯＷＮ値単位の送信電力減少段階で増加された移動局の送信電力が既設定された送信電力の最小値に到達されていないと、移動局の送信電力を既設定された送信電力の最小値に到達される時までＢＩＧ−ＤＯＷＮ値またはＤＯＷＮ値ほどずつ減少させる送信電力減少段階をさらに含むことを特徴とする請求項７に記載の移動通信システムの逆方向閉鎖ループ電力制御方法。
【請求項１０】
前記送信電力増加命令情報が‘０’で、送信電力減少命令情報が‘１’であることを特徴とする請求項６または７に記載の移動通信システムの逆方向閉鎖ループ電力制御方法。
【請求項１１】
前記ＣＲＣ検査段階で検査された結果で良い場合のＣＲＣ結果値は‘１’で、悪い場合のＣＲＣ結果値は‘０’であることを特徴とする請求項６または７に記載の移動通信システムの逆方向閉鎖ループ電力制御方法。
【請求項１２】
前記ＢＩＧ−ＵＰ値がＵＰ値より大きくて、ＢＩＧ−ＤＯＷＮ値がＤＯＷＮ値より大きい値であることを特徴とする請求項７に記載の移動通信システムの逆方向閉鎖ループ電力制御方法。
【発明の詳細な説明】
【技術分野】
【０００１】
本発明は移動通信システムの逆方向閉鎖ループ電力制御装置及び方法に関するものであり、特にコード分割多重接続( Ｃｏｄｅ  Ｄｉｖｉｓｉｏｎ  Ｍｕｌｔｉｐｌｅ  Ａｃｃｅｓｓ：以下、‘ＣＤＭＡ’と称する) 方式を適用した移動通信システムの移動局で順方向リンク及び逆方向リンクの電波環境を考慮して逆方向閉鎖ループ電力制御を能動的に遂行できるようにした移動通信システムの逆方向閉鎖ループ電力制御装置及び移動通信システムの逆方向閉鎖ループ電力制御方法に関するものである。
【背景技術】
【０００２】
一般的にＣＤＭＡ移動通信システムの設計において、与えられた帯域幅内で同時に通話できるユーザーの数を最大化することは非常に望ましいことであり、各移動局の送信電力が最小限の信号対雑音比を持って基地局に受信されるように制御するとシステムの容量は最大になる。
【０００３】
この時、基地局に受信される移動局の送信電力があまりに低いとビット誤差率があまりに高くて良い品質の通話を期待できない反面、あまりに高いと移動局の通話品質は良いが同じチャネルを用いている他の移動局に対する根源干渉（電波干渉）が増加するようになって全体加入者を減らさない限り通話品質は悪くなるようになる。
【０００４】
そして、移動通信システムでは基地局から移動局への信号伝送のために用いられる周波数帯域と移動局から基地局への信号伝送のために用いられる周波数帯域とを別にする全二重無線チャネルを用いるが、このような周波数帯域分離は、移動局受信器に対する移動局送信信号のフィードバックや干渉なく移動局送信機と受信器との同時使用を可能にし、また電力制御過程に大きな影響を与えるようになる。
【０００５】
すなわち、順方向リンクと逆方向リンク間の４５ＭＨｚ周波数帯域分離の場合、チャネルの同調( Ｃｏｈｅｒｅｎｃｅ) 帯域幅を超過するので、移動局で測定した順方向リンクの多重経路損失が逆方向リンクの多重経路損失と異なるが移動局では逆方向リンクの多重経路損失を測定できないために両損失が同一であると仮定する。
【０００６】
前記のような多重経路損失測定方法は、送信電力に対する正確な平均値を提供するが、この時両経路間で相異なった特性を有するレイリーフェージング( Ｒａｙｌｅｉｇｈ  Ｆａｄｉｎｇ) 現像を解消するためには追加的な補完方法が必要である。
【０００７】
すなわち、移動局は逆方向リンク及び順方向リンクの相互独立的なレイリーフェージングを補償するために基地局から信号電力を推定して移動局の送信電力を制御する。
【０００８】
言い換えれば、基地局内復調器で各移動局から受信される信号の信号対雑音比を測定して、この測定された信号対雑音比を既設定された基準信号対雑音比と比較した後、順方向チャネルを通して前記比較結果による送信電力調節命令を移動局に送出する。
【０００９】
このような送信電力調節命令は、移動局の開放ループ方式の送信電力推定値と一緒に移動局の送信電力決定に用いられ、毎１．２５ｍｓ毎に送出される前記命令によって移動局の送信電力を通常１ｄＢ単位で増加または減少させて、逆方向リンクのレイリーフェージングを追跡できる。
【００１０】
ここで、制御ビットが移動局に受信されて実際的な制御行動が実行される時までチャネル与件が大幅に変わらないように送信電力調節命令の決定過程とこの命令の伝送過程とにかかる時間を短縮させることが重要である。
【００１１】
移動通信システムの交換局内システム制御器で各移動局のエラー率に基づいた信号対雑音比を基地局内制御器に提供して、この信号対雑音比はチャネル制御器に伝達されて各移動局の送信電力増加または減少に対する決定に用いられるが、このような方式を逆方向閉鎖ループ電力制御方式と呼ぶ。
【００１２】
通常ＣＤＭＡ移動通信システムの電力制御は、移動局と基地局間に信号が連結される場合に始まり、基地局から移動局に送信する通話フレームを一定水準に維持するための順方向電力制御と移動局から基地局に送信する通話フレームとを一定水準に維持するための逆方向電力制御がある。
【００１３】
前記のような電力制御中、従来移動通信システムの逆方向閉鎖ループ電力制御方法を図１を参考にして説明すると次のようである。
【００１４】
まず、通話フレーム受信段階( Ｓ１) で基地局が移動局から伝送される通話フレームを受信した後、信号対雑音比分析段階( Ｓ２) に進行して前記段階( Ｓ１) で受信された通話フレームに対して１．２５ｍｓ毎に信号対雑音比を分析する。
【００１５】
前記信号対雑音比分析段階( Ｓ２) 後に信号対雑音比比較段階( Ｓ３) に進行して前記段階( Ｓ２) で分析された信号対雑音比を既設定された基準信号対雑音比と比較する。
【００１６】
前記信号対雑音比比較段階( Ｓ３）の比較結果、前記段階( Ｓ２) で分析された信号対雑音比が既設定された基準信号対雑音比より小さいと、送信電力増加命令伝送段階( Ｓ４) に進行して送信電力増加命令を移動局に伝送して、続いて送信電力増加段階( Ｓ５) で移動局が前記段階( Ｓ４）の送信電力増加命令によって受動的に移動局の送信電力を１ｄＢずつ増加させる。
【００１７】
前記信号対雑音比比較段階( Ｓ３）の比較結果、前記段階( Ｓ２) で分析された信号対雑音比が既設定された基準信号対雑音比より大きいと、送信電力減少命令伝送段階( Ｓ６) に進行して送信電力減少命令を移動局に伝送して、続いて送信電力減少段階( Ｓ７) で移動局が前記段階( Ｓ６）の送信電力減少命令によって受動的に移動局の送信電力を１ｄＢずつ減少させる。
【００１８】
前記のように従来移動通信システムの逆方向閉鎖ループ電力制御方法は、基地局から伝送される送信電力増加または減少命令によって移動局の送信電力を１ｄＢの固定単位で増加または減少させるようにしている。
【００１９】
したがって、従来移動通信システムの逆方向閉鎖ループ電力制御方法は、移動局が電波環境が悪い所に位置してある場合に移動局で増加される電力量が固定的であるために移動局の通話品質が悪くなる場合があり、また移動局が電波環境が良い所に位置してある場合には、移動局の送信電力減少量が一定に固定されているために他の移動局に電波干渉を与える場合がある問題点を内包している。
【発明の概要】
【発明が解決しようとする課題】
【００２０】
本発明は前記のような問題点を解決するためのものであり、本発明の目的は、ＣＤＭＡ方式を適用した移動通信システムの移動局でＣＲＣ( Ｃｙｃｌｉｃ  Ｒｅｄｕｎｄａｎｃｙ  Ｃｈｅｃｋ) を通して順方向リンク及び逆方向リンクの電波環境を判断して逆方向閉鎖ループ電力制御を能動的に遂行することによって移動局の電力を経済的に用いることができるようにした移動通信システムの逆方向閉鎖ループ電力制御装置及び方法を提供することにある。
【課題を解決するための手段】
【００２１】
このような目的を達成するための本発明の移動通信システムの逆方向閉鎖ループ電力制御装置は、基地局の送信電力増加または減少命令によって移動局の送信電力を制御するＣＤＭＡ移動通信システム内移動局の逆方向閉鎖ループ電力制御装置において、基地局から伝送される通話フレームを受信して、この受信された通話フレームを復調して送信電力増加または減少命令情報が割り当てられたＰＣＢを抽出する復調及びＰＣＢ抽出部と、前記基地局から伝送される通話フレームに対するＣＲＣを検査するＣＲＣ検査部と、前記復調及びＰＣＢ抽出部で抽出されたＰＣＢと前記ＣＲＣ検査部で検査されたＣＲＣ結果値とによって送信電力増加または減少制御信号を出力する制御部と、前記制御部から出力される送信電力増加または減少制御信号によって送信電力の最大値まで移動局の送信電力を増加させたりまたは送信電力の最小値まで移動局の送信電力を減少させる電力調整部とで構成されることを特徴とする。
【００２２】
前記目的を達成するための本発明の移動通信システムの逆方向閉鎖ループ電力制御方法は、基地局の送信電力増加または減少命令によって移動局の送信電力を制御するＣＤＭＡ移動通信システム内移動局の逆方向閉鎖ループ電力制御方法において、移動局が基地局から伝送される送信電力増加または減少命令情報が割り当てられたＰＣＢを含んだ通話フレームを受信する通話フレーム受信段階と、前記通話フレーム受信段階で受信された通話フレームを復調してＰＣＢを抽出するＰＣＢ抽出段階と、前記ＰＣＢ抽出段階遂行後、前記通話フレーム受信段階で受信された通話フレームに対してＣＲＣを検査するＣＲＣ検査段階と、前記ＰＣＢ抽出段階で抽出されたＰＣＢの値と前記ＣＲＣ検査段階で検査されたＣＲＣ結果値とによって移動局の送信電力を既設定された値ほどずつ増加または減少させる送信電力制御段階とで構成されることを特徴とする。
【図面の簡単な説明】
【００２３】
【図１】従来移動通信システムの逆方向閉鎖ループ電力制御方法を示した動作流れ図。
【図２】本発明による移動通信システムの逆方向閉鎖ループ電力制御装置のブロック構成図。
【図３】本発明による移動通信システムの逆方向閉鎖ループ電力制御方法を示した動作流れ図。
【図４】前記図３の送信電力増加段階の詳細な動作を示した流れ図。
【図５】前記図３の送信電力減少段階の詳細な動作を示した流れ図である。
【発明を実施するための形態】
【００２４】
以下、添付された図面を参考にしながら本発明による、移動通信システムにおける、逆方向閉鎖ループ電力制御装置及び逆方向閉鎖ループ電力制御方法を詳細に説明する。
【００２５】
図２は本発明による移動通信システムの逆方向閉鎖ループ電力制御装置のブロック構成図であり、基地局( 図示せず) から伝送される送信電力増加または減少命令情報が割り当てられた電力制御ビット( Ｐｏｗｅｒ  Ｃｏｎｔｒｏｌ  Ｂｉｔ：以下、‘ＰＣＢ’と称する) を含んだ通話フレームを受信する通話フレーム受信部１１と、前記通話フレーム受信部１１で受信された通話フレームを復調して前記ＰＣＢを抽出する復調及びＰＣＢ抽出部１２と、前記通話フレーム受信部１１で受信された通話フレームに対するＣＲＣを検査するＣＲＣ検査部１３と、前記復調及びＰＣＢ抽出部１２で抽出されたＰＣＢと前記ＣＲＣ検査部１３で検査されたＣＲＣ結果値とによって送信電力増加または減少制御信号を出力する制御部１４と、前記制御部１４で出力される送信電力増加または減少制御信号によって移動局の送信電力を増加または減少させる電力調整部１５とで構成される。
【００２６】
前記のように構成された本発明による移動通信システムの逆方向閉鎖ループ電力制御装置において、基地局は移動局から伝送される通話フレームの信号対雑音比が既設定された基準信号対雑音比より小さい場合、移動局の送信電力を増加させるための命令情報である‘０’をＰＣＢに割り当てて通話フレームを移動局に伝送して、前記通話フレームの信号対雑音比が既設定された基準信号対雑音比より大きい場合、移動局の送信電力を減少させるための命令情報である‘１’をＰＣＢに割り当てて通話フレームを移動局に伝送する。
【００２７】
これにより、前記通話フレーム受信部１１は、基地局から伝送される通話フレームを受信して、続いて復調及びＰＣＢ抽出部１２を通して前記受信された通話フレームを復調してＰＣＢを抽出して、ＣＲＣ検査部１３を通して前記受信された通話フレームに対するＣＲＣを検査する。
【００２８】
前記制御部１４は、前記復調及びＰＣＢ抽出部１２で抽出されたＰＣＢの値が‘０’で前記ＣＲＣ検査部１３で検査されたＣＲＣ結果値が‘１’の場合には、既設定されたＵＰ値ほどずつ送信電力を増加させるための制御信号を電力調整部１５に出力して、前記ＰＣＢの値が‘０’で前記ＣＲＣ結果値が‘０’の場合には、ＢＩＧ−ＵＰ値ほどずつ送信電力を増加させるための制御信号を電力調整部１５に出力する。
【００２９】
そして、前記ＰＣＢの値が‘１’で前記ＣＲＣ結果値が‘１’の場合には、既設定されたＢＩＧ−ＤＯＷＮ値ほどずつ送信電力を減少させるための制御信号を電力調整部１５に出力して、前記ＰＣＢの値が‘１’で前記ＣＲＣ結果値が‘０’の場合には、既設定されたＤＯＷＮ値ほどずつ送信電力を減少させるための制御信号を電力調整部１５に出力する。
【００３０】
ここで、前記ＣＲＣ結果値が‘１’の場合は、ＣＲＣ検査結果値が良い場合、すなわち誤謬が検出されない場合を示して、前記ＣＲＣ結果値が‘０’の場合は、ＣＲＣ検査結果値が悪い場合、すなわち誤謬が検出される場合を示し、前記ＢＩＧ−ＵＰ値はＵＰ値より大きい値を示して、前記ＢＩＧ−ＤＯＷＮ値はＤＯＷＮ値より大きい値を示す。
【００３１】
そうすれば、前記電力調整部１５は、前記制御部１４で出力される送信電力増加または減少制御信号によって既設定された送信電力の最大値または最小値まで移動局の送信電力を調整する。
【００３２】
本発明による移動通信システムの逆方向閉鎖ループ電力制御装置の動作を図３ないし図５を参考にしてより詳細に説明すると次のようである。
【００３３】
まず、通話フレーム受信段階( Ｓ１１) で基地局が移動局から伝送される通話フレームを受信した後、信号対雑音比分析段階( Ｓ１２) に進行して前記段階( Ｓ１１) で受信された通話フレームに対して１．２５ｍｓの電力制御グループ毎に信号対雑音比を分析する。
【００３４】
前記信号対雑音比分析段階( Ｓ１２) 後に信号対雑音比比較段階( Ｓ１３) に進行して前記段階( Ｓ１２) で分析された信号対雑音比を逆方向の一定な通話品質を維持するための既設定された基準信号対雑音比と比較する。
【００３５】
前記信号対雑音比比較段階( Ｓ１３）の比較結果、前記段階( Ｓ１２) で分析された信号対雑音比が既設定された基準信号対雑音比より小さいと、送信電力増加命令情報を含んだ通話フレーム送受信段階( Ｓ２０) に進行して逆方向リンクで一定な通話品質を維持するように移動局の送信電力を増加させるための送信電力増加命令情報である‘０’をＰＣＢに割り当てて、このＰＣＢを含む通話フレームを移動局に伝送して移動局が前記送信電力増加命令情報を含んだ通話フレームを受信するようにする。
【００３６】
この時、前記段階( Ｓ１２) で分析された信号対雑音比が既設定された基準信号対雑音比より小さい場合には、エラー率が多く生じるので逆方向リンクで一定な通話品質を維持するためには移動局の送信電力を増加させなければならない。
【００３７】
すなわち、移動局の通話フレーム受信部１１が前記基地局から伝送される送信電力増加命令情報である‘０’が割り当てられたＰＣＢを含んだ通話フレームを受信するようになる。
【００３８】
前記送信電力増加命令情報を含んだ通話フレーム送受信段階( Ｓ２０) 後にＰＣＢ抽出段階( Ｓ２１) に進行して移動局は基地局から伝送される通話フレームを受信して復調することによってＰＣＢ‘０’を抽出する。
【００３９】
すなわち、復調及びＰＣＢ抽出部１２が前記通話フレーム受信部１１で受信された通話フレームを復調してＰＣＢ、すなわちＰＣＢに割り当てられた送信電力増加命令情報である‘０’を抽出する。
【００４０】
前記ＰＣＢ‘０’抽出段階( Ｓ２１) 後にＣＲＣ検査段階( Ｓ２２) に進行してＣＲＣ検査部１３が前記通話フレーム受信部１１で受信された通話フレームに対するＣＲＣ検査を遂行する。
【００４１】
この時、前記段階( Ｓ２２）のＣＲＣ検査結果値は良い悪いの二種に判断されるが、ＣＲＣ結果値が良い場合には‘１’とし、ＣＲＣ結果値が悪い場合には‘０’とする。
【００４２】
前記ＣＲＣ検査段階( Ｓ２２) 後に送信電力増加段階( Ｓ２３) に進行して移動局は前記段階( Ｓ２１) で抽出されたＰＣＢの‘０’と前記段階( Ｓ２２) で検査されたＣＲＣ結果値とによって移動局の送信電力を増加させる。
【００４３】
制御部１４が、前記復調及びＰＣＢ抽出部１２で抽出されたＰＣＢの‘０’と前記ＣＲＣ検査部１３で検査されたＣＲＣ結果値とを入力されて移動局の送信電力を増加させるようになるが、すなわち復調及びＰＣＢ抽出部１２で抽出されたＰＣＢの値が‘０’で前記ＣＲＣ検査部１３で検査されたＣＲＣ結果値が‘１’の場合には、既設定されたＵＰ値ほどずつ送信電力を増加させるための制御信号を電力調整部１５に出力する一方、、前記ＰＣＢの値が‘０’で前記ＣＲＣ結果値が‘０’の場合には、前記ＵＰ値よりさらに大きいＢＩＧ−ＵＰ値ほどずつ送信電力を増加させるための制御信号を電力調整部１５に出力することによって電力調整部１５により移動局の送信電力を増加させるようにする。
【００４４】
一方、前記信号対雑音比比較段階( Ｓ１３）の比較結果、前記段階( Ｓ１２) で分析された信号対雑音比が既設定された基準信号対雑音比より大きいと、送信電力減少命令情報を含んだ通話フレーム送受信段階( Ｓ３０) に進行して逆方向リンクで一定な通話品質を維持するように移動局の送信電力を減少させるための送信電力減少命令情報である‘１’をＰＣＢに割り当てて、このＰＣＢを含む通話フレームを移動局に伝送して移動局が前記送信電力減少命令情報を含んだ通話フレームを受信するようにする。
【００４５】
この時、前記段階( Ｓ１２) で分析された信号対雑音比が既設定された基準信号対雑音比より大きい場合には、エラー率が少なく生じてユーザーが満足する通話品質が維持されることができるが、逆方向リンクで一定な通話品質を引続き維持しなければならないので移動局の送信電力を減少させなければならない。
【００４６】
すなわち、移動局の通話フレーム受信部１１が前記基地局から伝送される送信電力減少命令情報である‘１’が割り当てられたＰＣＢを含んだ通話フレームを受信するようになる。
【００４７】
前記送信電力減少命令情報を含んだ通話フレーム送受信段階( Ｓ３０) 後にＰＣＢ抽出段階( Ｓ３１) に進行して移動局は、基地局から伝送される通話フレームを受信して復調することによってＰＣＢ‘１’を抽出する。
【００４８】
すなわち、復調及びＰＣＢ抽出部１２が前記通話フレーム受信部１１で受信された通話フレームを復調してＰＣＢ、すなわちＰＣＢに割り当てられた送信電力減少命令情報である‘１’を抽出する。
【００４９】
前記ＰＣＢ‘１’抽出段階( Ｓ３１) 後にＣＲＣ検査段階( Ｓ３２) に進行してＣＲＣ検査部１３が前記通話フレーム受信部１１で受信された通話フレームに対するＣＲＣ検査を遂行する。
【００５０】
前記ＣＲＣ検査段階( Ｓ３２) 後に送信電力減少段階( Ｓ３３) に進行して移動局は前記段階( Ｓ３１) で抽出されたＰＣＢの‘１’と前記段階( Ｓ３２) で検査されたＣＲＣ結果値とによって移動局の送信電力を減少させる。
【００５１】
制御部１４が、前記復調及びＰＣＢ抽出部１２で抽出されたＰＣＢの‘１’と前記ＣＲＣ検査部１３で検査されたＣＲＣ結果値とを入力されて移動局の送信電力を減少させるようになるが、すなわち復調及びＰＣＢ抽出部１２で抽出されたＰＣＢの値が‘１’で前記ＣＲＣ検査部１３で検査されたＣＲＣ結果値が‘１’の場合には、既設定されたＢＩＧ−ＤＯＷＮ値ほどずつ送信電力を減少させるための制御信号を電力調整部１５に出力する一方、前記ＰＣＢの値が‘１’で前記ＣＲＣ結果値が‘０’の場合には、前記ＢＩＧ−ＤＯＷＮ値よりさらに小さいＤＯＷＮ値ほどずつ送信電力を減少させるための制御信号を電力調整部１５に出力することによって電力調整部１５により移動局の送信電力を減少させるようにする。
【００５２】
ここで、前記送信電力増加段階( Ｓ２３) と送信電力減少段階( Ｓ３３) との詳細な動作過程を図４及び図５を参考にして説明すると次のようである。
【００５３】
前記送信電力増加段階( Ｓ２３）は、図４に示されたように、ＣＲＣ検査結果値確認段階( Ｓ４１) で前記ＣＲＣ検査段階( Ｓ２２) で検査されたＣＲＣ結果値が‘１’として良いのかを確認する。
【００５４】
前記ＣＲＣ検査結果値確認段階( Ｓ４１) でＣＲＣ結果値が良いと、ＵＰ値単位の送信電力増加段階( Ｓ４２) に進行して移動局の送信電力を既設定されたＵＰ値ほどずつ増加させる。
【００５５】
すなわち、前記ＰＣＢ抽出段階( Ｓ２１) で抽出されたＰＣＢの値が‘０’で前記ＣＲＣ検査結果値確認段階( Ｓ４１) で確認されたＣＲＣ結果値が‘１’の場合には、制御部１４が逆方向リンクの電波環境はよくないが順方向リンクの電波環境は良いことに判断して電力調整部１５にＵＰ値ほどずつ送信電力を増加させるための制御信号を出力することによって移動局の送信電力を増加させるようにする。
【００５６】
反面、前記ＣＲＣ検査結果値確認段階( Ｓ４１) でＣＲＣ結果値が悪いと、ＢＩＧ−ＵＰ値単位の送信電力増加段階( Ｓ４３) に進行して移動局の送信電力を既設定されたＢＩＧ−ＵＰ値ほどずつ増加させる。
【００５７】
すなわち、前記ＰＣＢ抽出段階( Ｓ２１) で抽出されたＰＣＢの値が‘０’で前記ＣＲＣ検査結果値確認段階( Ｓ４１) で確認されたＣＲＣ結果値が‘０’の場合には、制御部１４が順方向リンクの電波環境がよくないことに判断して電力調整部１５にＢＩＧ−ＵＰ値ほどずつ送信電力を増加させるための制御信号を出力することによって移動局の送信電力を増加させるようにする。
【００５８】
続いて、前記ＵＰ値またはＢＩＧ−ＵＰ値単位の送信電力増加段階( Ｓ４２、Ｓ４３) 後に送信電力の最大値比較段階( Ｓ４４) に進行して制御部１４が前記段階( Ｓ４２、Ｓ４３) でＵＰ値またはＢＩＧ−ＵＰ値によって増加された移動局の送信電力が既設定された送信電力の最大値に到達されたのかを判断する。
【００５９】
前記送信電力の最大値比較段階( Ｓ４４）の比較結果、前記段階( Ｓ４２、Ｓ４３) で増加された移動局の送信電力が既設定された送信電力の最大値に到達されていると、現在送信電力維持段階( Ｓ４５) に進行して現在の移動局送信電力を一定に維持させて、前記段階( Ｓ４２、Ｓ４３) で増加された移動局の送信電力が既設定された送信電力の最大値に到達されていないと、送信電力増加段階( Ｓ４６) に進行して継続的に制御部１４で出力されるＵＰ値またはＢＩＧ−ＵＰ値ほどずつ送信電力を増加させるための制御信号によって移動局の送信電力を既設定された送信電力の最大値に到達される時まで送信電力を増加させる。
【００６０】
そして、前記送信電力減少段階( Ｓ３３）は、図５に示されたように、ＣＲＣ検査結果値確認段階( Ｓ５１) で前記ＣＲＣ検査段階( Ｓ３２) で検査されたＣＲＣ結果値が‘１’として良いのかを確認する。
【００６１】
前記ＣＲＣ検査結果値確認段階( Ｓ５１) でＣＲＣ結果値が良いと、ＢＩＧ−ＤＯＷＮ値単位の送信電力減少段階( Ｓ５２) に進行して移動局の送信電力を既設定されたＢＩＧ−ＤＯＷＮ値ほどずつ減少させる。
【００６２】
すなわち、前記ＰＣＢ抽出段階( Ｓ３１) で抽出されたＰＣＢの値が‘１’で前記ＣＲＣ検査結果値確認段階( Ｓ５１) で確認されたＣＲＣ結果値が‘１’の場合には、制御部１４が移動局が逆方向リンクで必要以上高い信号電力を送信するのみならず順方向リンクの電波環境が良いと判断して電力調整部１５にＢＩＧ−ＤＯＷＮ値ほどずつ送信電力を減少させるための制御信号を出力することによって移動局の送信電力を減少させるようにする。
【００６３】
反面、前記ＣＲＣ検査結果値確認段階( Ｓ５１) でＣＲＣ結果値が悪いと、ＤＯＷＮ値単位の送信電力減少段階( Ｓ５３) に進行して移動局の送信電力を既設定されたＤＯＷＮ値ほどずつ減少させる。
【００６４】
すなわち、前記ＰＣＢ抽出段階( Ｓ３１) で抽出されたＰＣＢの値が‘１’で前記ＣＲＣ検査結果確認段階( Ｓ５１) で確認されたＣＲＣ結果値が‘０’の場合には、制御部１４が移動局が逆方向リンクを通して送信する電力が高いが順方向リンクの電波環境はよくないと判断して電力調整部１５にＤＯＷＮ値ほどずつ送信電力を減少させるための制御信号を出力することによって移動局の送信電力を減少させるようにする。
【００６５】
続いて、前記ＢＩＧ−ＤＯＷＮ値またはＤＯＷＮ値単位の送信電力減少段階( Ｓ５２、Ｓ５３) 後に送信電力の最小値比較段階( Ｓ５４) に進行して制御部１４が前記段階( Ｓ５２、Ｓ５３) でＢＩＧ−ＤＯＷＮ値またはＤＯＷＮ値によって減少された移動局の送信電力が既設定された送信電力の最小値に到達されたのかを判断する。
【００６６】
前記送信電力の最小値比較段階( Ｓ５４）の比較結果、前記段階( Ｓ５２、Ｓ５３) で減少された移動局の送信電力が既設定された送信電力の最小値に到達されていると、現在送信電力維持段階( Ｓ５５) に進行して現在の移動局送信電力を一定に維持させて、前記段階( Ｓ５２、Ｓ５３) で減少された移動局の送信電力が既設定された送信電力の最小値に到達されていないと、継続的に制御部１４で出力されるＢＩＧ−ＤＯＷＮ値またはＤＯＷＮ値ほどずつ送信電力を減少させるための制御信号によって移動局の送信電力を既設定された送信電力の最小値に到達される時まで送信電力を減少させる。
【００６７】
ここで、前記ＢＩＧ−ＵＰ値は、ＵＰ値より大きい値を示して、前記ＢＩＧ−ＤＯＷＮ値はＤＯＷＮ値より大きい値を示す。
【００６８】
〔発明の効果〕
以上、上述したように本発明は、移動局の送信電力増加を要求するＰＣＢを基地局から受信した場合、順方向リンクの通話フレームに対するＣＲＣ結果値が良いと、既設定されたＵＰ値ほどずつ送信電力を増加させ、ＣＲＣ結果値が悪いと、既設定されたＢＩＧ−ＵＰ値ほどずつ送信電力を増加させ、移動局の送信電力減少を要求するＰＣＢを基地局から受信した場合、順方向リンクの通話フレームに対するＣＲＣ結果値が良いと、既設定されたＢＩＧ−ＤＯＷＮ値ほどずつ送信電力を減少させ、ＣＲＣ結果値が悪いと、既設定されたＤＯＷＮ値ほどずつ送信電力を減少させることによって移動局で逆方向閉鎖ループ電力制御を能動的に遂行できるようになる効果がある。
【００６９】
また、前記のように逆方向閉鎖ループ電力制御を能動的に遂行することによって移動局の資源である電力を経済的に用いることができる長所がある。
【符号の説明】
【００７０】
１１  通話フレーム受信部
１２  復調及びＰＣＢ抽出部
１３  ＣＲＣ検査部
１４  制御部
１５  電力調整部
【図１】
2011035920.tif 000003
【図２】
2011035920.tif 000004
【図３】
2011035920.tif 000005
【図４】
2011035920.tif 000006
【図５】
2011035920.tif 000007